(57)【要約】【課題】誤ったサーボ制御パラメータの設定を防止し、安定してデータアクセスできる光ディスク装置を提供する。【解決手段】まず、各受光素子１０５からの信号を可変利得アンプ７により所定倍にし、その所定倍にした信号の振幅値を信号振幅検出手段１２により検出し、メディア種別判定手段１３がその検出結果から光ディスク１のメディア種別がＣＤ系かＤＶＤ系かを判定する。そして、データアクセス時には、信号振幅調整手段１４が、信号振幅検出手段１２により検出された各振幅値及びメディア種別判定手段１３により判定されたメディア種別を基に可変利得アンプ７のゲインを調整して、ＣＤ系メディア間、およびＤＶＤ系メディア間において各受光素子５からの信号の信号振幅が一定となるようにし、その信号をＦＥ信号生成回路１５、ＴＥ信号生成回路１６、全加算信号生成回路１７へ入力してサーボ制御を行う。【選択図】図１
2006172527.tif 000002
【特許請求の範囲】
【請求項１】
ＣＤ系の光ディスクに対応する信号処理回路とサーボ制御パラメータ、およびＤＶＤ系の光ディスクに対応する信号処理回路とサーボ制御パラメータを有し、装着された光ディスクのメディア種別がＣＤ系かＤＶＤ系かに応じた信号処理回路とサーボ制御パラメータを設定して、サーボ制御しながら光ディスクにデータアクセスする光ディスク装置であって、
光ディスクに照射されたレーザ光の戻り光を受光しその戻り光量に応じた信号振幅の信号を出力する受光素子と、
光ディスクのメディア種別判定時に前記受光素子からの信号の振幅を所定倍する可変利得アンプと、
前記可変利得アンプにより所定倍された信号の振幅値を検出する信号振幅検出手段と、
前記信号振幅検出手段により検出された振幅値と予め設定された閾値との比較演算を行い光ディスクのメディア種別がＣＤ系かＤＶＤ系かを判定するメディア種別判定手段と、
前記信号振幅検出手段により検出された振幅値及び前記メディア種別判定手段により判定された光ディスクのメディア種別を基に、ＣＤ系の各種光ディスク間、およびＤＶＤ系の各種光ディスク間において前記受光素子からの信号の振幅が一定となるように前記可変利得アンプのゲインを調整する信号振幅調整手段と、
を備え、データアクセス時に、前記信号振幅調整手段によってゲインが調整された前記可変利得アンプから出力される前記受光素子からの信号に基づいてサーボ制御することを特徴とする光ディスク装置。
【請求項２】
ＣＤ系の光ディスクへデータアクセスする際にはＣＤ系の光ディスクに対応する信号処理回路とサーボ制御パラメータを設定し、ＤＶＤ系の光ディスクへデータアクセスする際にはＤＶＤ系の光ディスクに対応する信号処理回路とサーボ制御パラメータを設定して、サーボ制御しながらデータアクセスする光ディスクに対するデータアクセス方法であって、
光ディスクにレーザ光を照射しその戻り光量に応じた信号振幅の信号を受光素子より出力し、
前記受光素子からの信号の振幅を可変利得アンプにより所定倍し、
前記可変利得アンプにより所定倍された信号の振幅値を検出し、
前記検出された振幅値と予め設定された閾値との比較演算を行い光ディスクのメディア種別がＣＤ系かＤＶＤ系かを判定し、
前記判定された光ディスクのメディア種別に対応する信号処理回路とサーボ制御パラメータを設定するとともに、前記検出された振幅値及び前記判定された光ディスクのメディア種別を基に、ＣＤ系の各種光ディスク間、およびＤＶＤ系の各種光ディスク間において前記受光素子からの信号の振幅が一定となるように前記可変利得アンプのゲインを調整し、
前記ゲインが調整された前記可変利得アンプから出力される前記受光素子からの信号に基づいてサーボ制御しながら光ディスクにデータアクセスする
ことを特徴とする光ディスクに対するデータアクセス方法。
【請求項３】
第１の系の光ディスクに対応する信号処理回路とサーボ制御パラメータ、および第２の系の光ディスクに対応する信号処理回路とサーボ制御パラメータを有し、装着された光ディスクのメディア種別が前記第１の系か前記第２の系かに応じた信号処理回路とサーボ制御パラメータを設定して、サーボ制御しながら光ディスクにデータアクセスする光ディスク装置であって、
光ディスクに照射されたレーザ光の戻り光を受光しその戻り光量に応じた信号振幅の信号を出力する受光素子と、
光ディスクのメディア種別判定時に前記受光素子からの信号の振幅を所定倍する可変利得アンプと、
前記可変利得アンプにより所定倍された信号の振幅値を検出する信号振幅検出手段と、
前記信号振幅検出手段により検出された振幅値と予め設定された閾値との比較演算を行い光ディスクのメディア種別が前記第１の系か前記第２の系かを判定するメディア種別判定手段と、
前記信号振幅検出手段により検出された振幅値及び前記メディア種別判定手段により判定された光ディスクのメディア種別を基に、前記第１の系の各種光ディスク間、および前記第２の系の各種光ディスク間において前記受光素子からの信号の振幅が一定となるように前記可変利得アンプのゲインを調整する信号振幅調整手段と、
を備え、データアクセス時に、前記信号振幅調整手段によってゲインが調整された前記可変利得アンプから出力される前記受光素子からの信号に基づいてサーボ制御することを特徴とする光ディスク装置。
【請求項４】
第１の系の光ディスクへデータアクセスする際には前記第１の系の光ディスクに対応する信号処理回路とサーボ制御パラメータを設定し、第２の系の光ディスクへデータアクセスする際には前記第２の系の光ディスクに対応する信号処理回路とサーボ制御パラメータを設定して、サーボ制御しながらデータアクセスする光ディスクに対するデータアクセス方法であって、
光ディスクにレーザ光を照射しその戻り光量に応じた信号振幅の信号を受光素子より出力し、
前記受光素子からの信号の振幅を可変利得アンプにより所定倍し、
前記可変利得アンプにより所定倍された信号の振幅値を検出し、
前記検出された振幅値と予め設定された閾値との比較演算を行い光ディスクのメディア種別が前記第１の系か前記第２の系かを判定し、
前記判定された光ディスクのメディア種別に対応する信号処理回路とサーボ制御パラメータを設定するとともに、前記検出された振幅値及び前記判定された光ディスクのメディア種別を基に、前記第１の系の各種光ディスク間、および前記第２の系の各種光ディスク間において前記受光素子からの信号の振幅が一定となるように前記可変利得アンプのゲインを調整し、
前記ゲインが調整された前記可変利得アンプから出力される前記受光素子からの信号に基づいてサーボ制御しながら光ディスクにデータアクセスする
ことを特徴とする光ディスクに対するデータアクセス方法。
【発明の詳細な説明】
【技術分野】
【０００１】
本発明は、様々な種類の光ディスクに対してデータアクセスできる光ディスク装置、および光ディスクに対するデータアクセス方法に関する。
【背景技術】
【０００２】
近年、オーディオ等の情報再生装置として、例えばＣＤやＤＶＤなどのデジタルメディアを用いた光ディスク装置が広く普及している。一方、デジタルメディアとして、ＣＤ−ＲやＤＶＤ−Ｒ等の記録可能な光ディスクも普及してきている。
【０００３】
これに伴い、これらの複数種類の光ディスクに対してデータアクセスできる光ディスク装置も開発されている。このような光ディスク装置は、装着された光ディスクの種類を判別しその光ディスクに最適な信号処理回路やサーボ制御パラメータに切り替えてデータアクセスするよう構成されている（例えば、特許文献１参照。）。
【０００４】
以下、従来の光ディスク装置について図面を用いて説明する。図３は、従来の光ディスク装置の一例を示すブロック図である。この従来の光ディスク装置は、ＣＤ−ＲＯＭやＣＤ−ＲＷ、ＤＶＤ−ＲＯＭ、ＤＶＤ−ＲＡＭ等の各種の光ディスクそれぞれに対応する信号処理回路とサーボ制御パラメータを有し、装着された光ディスクの種類に応じた信号処理回路とサーボ制御パラメータを設定し、サーボ制御しながら光ディスクにデータアクセスする。なお、図３は、ＣＤ−ＲＯＭやＣＤ−ＲＷ等のＣＤ系の光ディスクへのデータアクセス時に、非点収差法によってフォーカスエラー信号を生成し、３ビーム法によってトラッキングエラー信号を生成する場合を示している。
【０００５】
図３において、光ピックアップ１０３は、レーザダイオード１０４より出射されるレーザ光を、スピンドルモータ１０２により回転されている光ディスク１０１のピット面（記録面）に照射しその戻り光を受光素子１０５で受光して、その戻り光量に応じた信号振幅の電流信号に変換する。
【０００６】
ここでは、非点収差法によってフォーカスエラー信号を生成し、３ビーム法によってトラッキングエラー信号を生成するので４分割された主受光素子と２つの副受光素子（図示せず）が用いられる。Ｉ／Ｖ変換回路１０６は、各受光素子１０５から出力される各電流信号を電圧信号に変換する。
【０００７】
ＦＥ信号生成回路１０７は、４分割された主受光素子から出力された電流信号をＩ／Ｖ変換回路１０６により電圧信号に変換したものを基に所定の演算を実行してフォーカスエラー信号を生成する。
【０００８】
また、ＴＥ信号生成回路１０８は、２つの副受光素子（サブディテクタ）から出力された電流信号をＩ／Ｖ変換回路１０６により電圧信号に変換したものを基に所定の演算を実行してトラッキングエラー信号を生成する。
【０００９】
また、全加算信号生成回路１０９は、４分割された主受光素子から出力された電流信号をＩ／Ｖ変換回路１０６により電圧信号に変換したものの和をとり、全加算信号（ＲＦ信号）を生成する。
【００１０】
各Ａ／Ｄ変換器１１０、１１１、１１２はそれぞれフォーカスエラー信号、トラッキングエラー信号、全加算信号をデジタル信号に変換する。信号振幅検出手段１１３は、各Ａ／Ｄ変換器１１０、１１１、１１２から出力される各デジタル信号を基にフォーカスエラー信号、トラッキングエラー信号、全加算信号の振幅値を検出する。
【００１１】
ディスク種類判別手段１１４は、信号振幅検出手段１１３により検出された各振幅値を予め設定された所定の閾値と比較して、当該光ディスク装置に装着されている光ディスクの種類を判別する。当該光ディスク装置は、その判別結果により、光ディスクの種類に応じた最適な信号処理回路とサーボ制御パラメータを設定してデータアクセスを行う。
【００１２】
例えば、ＣＤ−ＲＯＭを再生する場合には、波長が７８０ｎｍのレーザ光を出射するレーザダイオードと開口数が０．４５の対物レンズを備えた光学ピックアップを用いてピット面にレーザ光を集光させ、その戻り光の強弱を電気信号に変換する。この時、レーザ光を集光させた光スポットを常にピット面上に合焦させておくためのフォーカスサーボと、光スポットを常にピット列上にトレースさせるためのトラッキングサーボを実行する。このうち、フォーカスサーボには例えば非点収差法によるフォーカスエラー信号を用い、トラッキングサーボには例えば３ビーム法によるトラッキングエラー信号を用いる。
【００１３】
また、レーザ光の出力パワーを変調することにより光ディスク上にデータを記録していくＣＤ系の光ディスク（ＣＤ系メディア）としてＣＤ−Ｒがある。このＣＤ−Ｒに記録された情報を再生する場合には、波長が７８０ｎｍのレーザ光を出射するレーザダイオードと開口数が０．４５の対物レンズを備えた光学ピックアップを用いて記録面にレーザ光を集光させて情報を再生する。但し、ＣＤ−Ｒ等の追記型ディスクは、ＣＤ−ＲＯＭと異なり反射膜（記録膜）に有機色素系の材料を用いており、記録面の反射率がレーザ光の波長に大きく依存する。そのためＣＤ−Ｒに記録された情報を再生するには、必ず波長が７８０ｎｍのレーザ光を用いる必要がある。
【００１４】
また、記録と消去が可能な相変化型のＣＤ系メディアとしてＣＤ−ＲＷがあるが、記録面の反射率はＣＤ−ＲＯＭの反射率と比べ一般に半分以下と低い。そのためＣＤ−ＲＷを再生するためには、ＣＤ−ＲＯＭの再生時と比較して再生系の利得を上げる必要がある。
【００１５】
さらに、ＣＤ系の光ディスクに比べて記録密度を上げた光ディスクとして例えばＤＶＤ−ＲＯＭがある。ＤＶＤ−ＲＯＭを再生する場合には、例えば波長が６５０ｎｍのレーザ光を出射するレーザダイオードと開口数が０．６の対物レンズを備えた光ピックアップを用いて、ＣＤ系メディアの再生と同様に、ピット面にレーザ光を集光させて再生する。但し、ＤＶＤ系の光ディスク（ＤＶＤ系メディア）はＣＤ系メディアと比べてトラックピッチが狭いため、前述した３ビーム法によるトラッキングエラー信号を用いることができない。すなわちＣＤ系メディアのトラックピッチに設定された３ビームでは、ＤＶＤ系メディアからトラッキングエラー信号を得ることができない。その代わりにＤＶＤ系メディアに対しては位相差法によるトラッキングエラー信号を用いて再生を行う。
【００１６】
また、記録と消去が可能な相変化型のＤＶＤ系メディアとしてＤＶＤ−ＲＡＭがあるが、記録面の反射率はＤＶＤ−ＲＯＭの反射率と比べ一般に半分以下と低い。そのためＤＶＤ−ＲＡＭを再生するためには、ＤＶＤ−ＲＯＭの再生時と比較して再生系の利得を上げる必要がある。
【００１７】
以上のように、光ディスクの種類毎にレーザ波長、再生利得、サーボエラー信号の生成方法が異なるため、図３に示す従来の光ディスク装置は、光ディスクの種類の判別を行い、最適な信号処理回路とサーボ制御パラメータを設定していた。
【００１８】
続いて、図３に示す従来の光ディスク装置の動作について、図４に示すフローチャートを用いて説明する。
当該光ディスク装置は、装着された光ディスク１０１を回転させて所定のレーザ光を光ディスク１０１のピット面（記録面）に照射し、フォーカスエラー信号とトラッキングエラー信号と全加算信号の振幅値を検出し、ステップＳ４０１において、まずフォーカスエラー信号の振幅値と閾値１を比較する。その結果、フォーカスエラー信号の振幅値が閾値１より大きければ、現在装着されている光ディスクを記録層が１層のＤＶＤ系メディア（ＤＶＤ−ＲＯＭやＤＶＤ−Ｒ等）と判定して、記録層が１層のＤＶＤ系メディアに対応する信号処理回路とサーボ制御パラメータを設定する（ステップＳ４０２）。
【００１９】
フォーカスエラー信号の振幅値が閾値１以下の場合には、ステップＳ４０３において、全加算信号の振幅値と閾値２を比較する。その結果、全加算信号の振幅値が閾値２より大きければ、現在装着されている光ディスクをＣＤ−ＲＯＭもしくはＣＤ−Ｒと判定して、ＣＤ−ＲＯＭとＣＤ−Ｒに対応する信号処理回路とサーボ制御パラメータを設定する（ステップＳ４０４）。
【００２０】
全加算信号の振幅値が閾値２以下の場合には、ステップＳ４０５において、トラッキングエラー信号の振幅値と閾値３を比較する。その結果、トラッキングエラー信号の振幅値が閾値３より大きければ、現在装着されている光ディスクを記録層が２層のＤＶＤ系メディア（ＤＶＤ−ＲＡＭ等）と判定して、記録層が２層のＤＶＤ系メディアに対応する信号処理回路とサーボ制御パラメータを設定する（ステップＳ４０６）。
【００２１】
トラッキングエラー信号の振幅値が閾値３以下の場合には、ステップＳ４０７において、現在装着されている光ディスクをＣＤ−ＲＷと判定して、ＣＤ−ＲＷに対応する信号処理回路とサーボ制御パラメータを設定する。
【００２２】
以上のように、従来の光ディスク装置は、受光素子から出力される信号を基にフォーカスエラー信号、トラッキングエラー信号、全加算信号を生成し、これらの信号と所定の閾値を比較することによって光ディスクの種類を判定し、その判定された種類に対応する信号処理回路とサーボ制御パラメータを設定して光ディスクにデータアクセスしていた。
【００２３】
しかしながら、例えばＣＤ−ＲＷの記録面の反射率はＣＤ−ＲＯＭと比べ一般に半分以下と低く、また反射膜の材料や書き込み時のレーザパワーによっても反射率が異なるため、受光素子から出力される信号は信号振幅が小さく、ばらつきがあるものとなる。そのため、従来の光ディスク装置のように、受光素子から出力される信号を基に生成したフォーカスエラー信号、トラッキングエラー信号、全加算信号と所定の閾値を比較して光ディスクの種類を細かく判定しようとすると誤判定するおそれがあった。光ディスクの種類が誤判定された場合、誤ったサーボ制御パラメータが設定され、光ピックアップに正常にサーボをかけることができなくなるという問題があった。
【特許文献１】特開平９−１６１３８７号公報
【発明の開示】
【発明が解決しようとする課題】
【００２４】
本発明は、上記問題点に鑑み、各受光素子からの信号を所定倍にし、その所定倍にした信号の振幅値から現在装着されている光ディスクのメディア種別が何系か（例えば、ＣＤ系かＤＶＤ系か）を判定し、それらの各系の各種光ディスク間において（例えば、ＣＤ系の各種光ディスク間、およびＤＶＤ系の各種光ディスク間において）受光素子からの信号の振幅が一定となるようにし、その信号をＦＥ信号生成回路、ＴＥ信号生成回路、全加算信号生成回路へ入力してサーボ制御を行うことにより、誤ったサーボ制御パラメータが設定されることを防止し、安定してデータアクセスできる光ディスク装置、および光ディスクに対するデータアクセス方法を提供することを目的とする。
【００２５】
すなわち、例えばＣＤ系の各種光ディスク間、およびＤＶＤ系の各種光ディスク間においてＦＥ信号生成回路、ＴＥ信号生成回路、全加算信号生成回路へ入力される信号の振幅を一定にするので、サーボ制御パラメータの再生利得をＣＤ系の各種光ディスク間、およびＤＶＤ系の各種光ディスク間で一定にでき、ＣＤ系かＤＶＤ系かの判定のみを行えばよくなり、従来のように光ディスクの種類を細かく判別せずにすむ。また、各受光素子からの各信号の振幅を所定倍した値を用いてＣＤ系かＤＶＤ系かの判定を行うので、安定した判定を行うことができる。したがって、従来のように誤ったサーボ制御パラメータを設定し、光ピックアップに正常なサーボがかからず、安定したデータアクセスを行えなくなるおそれがなくなる。
【課題を解決するための手段】
【００２６】
本発明の請求項１記載の光ディスク装置は、ＣＤ系の光ディスクに対応する信号処理回路とサーボ制御パラメータ、およびＤＶＤ系の光ディスクに対応する信号処理回路とサーボ制御パラメータを有し、装着された光ディスクのメディア種別がＣＤ系かＤＶＤ系かに応じた信号処理回路とサーボ制御パラメータを設定して、サーボ制御しながら光ディスクにデータアクセスする光ディスク装置であって、光ディスクに照射されたレーザ光の戻り光を受光しその戻り光量に応じた信号振幅の信号を出力する受光素子と、光ディスクのメディア種別判定時に前記受光素子からの信号の振幅を所定倍する可変利得アンプと、前記可変利得アンプにより所定倍された信号の振幅値を検出する信号振幅検出手段と、前記信号振幅検出手段により検出された振幅値と予め設定された閾値との比較演算を行い光ディスクのメディア種別がＣＤ系かＤＶＤ系かを判定するメディア種別判定手段と、前記信号振幅検出手段により検出された振幅値及び前記メディア種別判定手段により判定された光ディスクのメディア種別を基に、ＣＤ系の各種光ディスク間、およびＤＶＤ系の各種光ディスク間において前記受光素子からの信号の振幅が一定となるように前記可変利得アンプのゲインを調整する信号振幅調整手段と、を備え、データアクセス時に、前記信号振幅調整手段によってゲインが調整された前記可変利得アンプから出力される前記受光素子からの信号に基づいてサーボ制御することを特徴とする。
【００２７】
本発明の請求項２記載の光ディスクに対するデータアクセス方法は、ＣＤ系の光ディスクへデータアクセスする際にはＣＤ系の光ディスクに対応する信号処理回路とサーボ制御パラメータを設定し、ＤＶＤ系の光ディスクへデータアクセスする際にはＤＶＤ系の光ディスクに対応する信号処理回路とサーボ制御パラメータを設定して、サーボ制御しながらデータアクセスする光ディスクに対するデータアクセス方法であって、光ディスクにレーザ光を照射しその戻り光量に応じた信号振幅の信号を受光素子より出力し、前記受光素子からの信号の振幅を可変利得アンプにより所定倍し、前記可変利得アンプにより所定倍された信号の振幅値を検出し、前記検出された振幅値と予め設定された閾値との比較演算を行い光ディスクのメディア種別がＣＤ系かＤＶＤ系かを判定し、前記判定された光ディスクのメディア種別に対応する信号処理回路とサーボ制御パラメータを設定するとともに、前記検出された振幅値及び前記判定された光ディスクのメディア種別を基に、ＣＤ系の各種光ディスク間、およびＤＶＤ系の各種光ディスク間において前記受光素子からの信号の振幅が一定となるように前記可変利得アンプのゲインを調整し、前記ゲインが調整された前記可変利得アンプから出力される前記受光素子からの信号に基づいてサーボ制御しながら光ディスクにデータアクセスすることを特徴とする。
【００２８】
本発明の請求項３記載の光ディスク装置は、第１の系の光ディスクに対応する信号処理回路とサーボ制御パラメータ、および第２の系の光ディスクに対応する信号処理回路とサーボ制御パラメータを有し、装着された光ディスクのメディア種別が前記第１の系か前記第２の系かに応じた信号処理回路とサーボ制御パラメータを設定して、サーボ制御しながら光ディスクにデータアクセスする光ディスク装置であって、光ディスクに照射されたレーザ光の戻り光を受光しその戻り光量に応じた信号振幅の信号を出力する受光素子と、光ディスクのメディア種別判定時に前記受光素子からの信号の振幅を所定倍する可変利得アンプと、前記可変利得アンプにより所定倍された信号の振幅値を検出する信号振幅検出手段と、前記信号振幅検出手段により検出された振幅値と予め設定された閾値との比較演算を行い光ディスクのメディア種別が前記第１の系か前記第２の系かを判定するメディア種別判定手段と、前記信号振幅検出手段により検出された振幅値及び前記メディア種別判定手段により判定された光ディスクのメディア種別を基に、前記第１の系の各種光ディスク間、および前記第２の系の各種光ディスク間において前記受光素子からの信号の振幅が一定となるように前記可変利得アンプのゲインを調整する信号振幅調整手段と、を備え、データアクセス時に、前記信号振幅調整手段によってゲインが調整された前記可変利得アンプから出力される前記受光素子からの信号に基づいてサーボ制御することを特徴とする。
【００２９】
本発明の請求項４記載の光ディスクに対するデータアクセス方法は、第１の系の光ディスクへデータアクセスする際には前記第１の系の光ディスクに対応する信号処理回路とサーボ制御パラメータを設定し、第２の系の光ディスクへデータアクセスする際には前記第２の系の光ディスクに対応する信号処理回路とサーボ制御パラメータを設定して、サーボ制御しながらデータアクセスする光ディスクに対するデータアクセス方法であって、光ディスクにレーザ光を照射しその戻り光量に応じた信号振幅の信号を受光素子より出力し、前記受光素子からの信号の振幅を可変利得アンプにより所定倍し、前記可変利得アンプにより所定倍された信号の振幅値を検出し、前記検出された振幅値と予め設定された閾値との比較演算を行い光ディスクのメディア種別が前記第１の系か前記第２の系かを判定し、前記判定された光ディスクのメディア種別に対応する信号処理回路とサーボ制御パラメータを設定するとともに、前記検出された振幅値及び前記判定された光ディスクのメディア種別を基に、前記第１の系の各種光ディスク間、および前記第２の系の各種光ディスク間において前記受光素子からの信号の振幅が一定となるように前記可変利得アンプのゲインを調整し、前記ゲインが調整された前記可変利得アンプから出力される前記受光素子からの信号に基づいてサーボ制御しながら光ディスクにデータアクセスすることを特徴とする。
【発明の効果】
【００３０】
本発明によれば、可変利得アンプのゲインを調整して、各系の各種光ディスク間において（例えば、ＣＤ系の各種光ディスク間、およびＤＶＤ系の各種光ディスク間において）サーボ制御に用いる信号の振幅を一定にするので、サーボ制御パラメータの再生利得を各系の各種光ディスク間（例えば、ＣＤ系の各種光ディスク間、およびＤＶＤ系の各種光ディスク間）で一定にでき、何系か（例えば、ＣＤ系かＤＶＤ系か）の判定のみを行えばよくなり、従来のように光ディスクの種類を細かく判別せずにすむ。また、受光素子からの信号の振幅を所定倍した値を用いて何系か（例えば、ＣＤ系かＤＶＤ系か）の判定を行うので、安定した判定を行うことができる。したがって、従来のように誤ったサーボ制御パラメータを設定するおそれがなくなり、安定したデータアクセスを実現できる。
【発明を実施するための最良の形態】
【００３１】
以下、本発明の実施の形態について、図面を参照しながら説明する。なお、本実施の形態においては、装着された光ディスクがＣＤ系メディアかＤＶＤ系メディアかを判定する光ディスク装置について説明するが、本発明は、これに限らず、その他の系のメディア種別を判定する光ディスク装置にも適用することができる。
【００３２】
図１は、本実施の形態における光ディスク装置の一例を示すブロック図である。当該光ディスク装置は、ＣＤ−ＲＯＭやＣＤ−ＲＷ等のＣＤ系メディア（ＣＤ系の光ディスク）に対応する信号処理回路とサーボ制御パラメータ、およびＤＶＤ−ＲＯＭやＤＶＤ−ＲＡＭ等のＤＶＤ系メディア（ＤＶＤ系の光ディスク）に対応する信号処理回路とサーボ制御パラメータを有し、装着された光ディスクのメディア種別がＣＤ系かＤＶＤ系かに応じた信号処理回路とサーボ制御パラメータを設定して、サーボ制御しながら光ディスクにデータアクセスする。なお、図１は、ＤＶＤ−ＲＯＭやＤＶＤ−ＲＡＭ等のＤＶＤ系メディアへのデータアクセス時に、非点収差法によってフォーカスエラー信号を生成し、位相差法によってトラッキングエラー信号を生成する場合を示している。
【００３３】
図１において、光ピックアップ３は、レーザダイオード４と受光素子５を内包し、レーザダイオード４より出射されるレーザ光を、スピンドルモータ２により回転されている光ディスク１のピット面（記録面）に照射しその戻り光を受光素子５で受光して、その戻り光量に応じた信号振幅の電流信号に変換する。
【００３４】
ここでは、非点収差法によってフォーカスエラー信号を生成し、位相差法によってトラッキングエラー信号を生成するので４分割された受光素子が用いられる。Ｉ／Ｖ変換回路６は、４分割された受光素子５それぞれから出力される各電流信号を電圧信号に変換する。
【００３５】
可変利得アンプ７は、光ディスクのメディア種別判定時には、信号振幅調整手段１４からの指示に従い、Ｉ／Ｖ変換回路６から出力される各電圧信号の振幅を所定倍して出力する。一方、光ディスクのメディア種別判定後のデータアクセス時には、信号振幅調整手段１４からの指示に従い、Ｉ／Ｖ変換回路６から出力される各電圧信号の振幅値が、ＣＤ−ＲＯＭやＣＤ−ＲＷ等のＣＤ系メディア間において所定の一定値となり、ＤＶＤ−ＲＯＭやＤＶＤ−ＲＡＭ等のＤＶＤ系メディア間において所定の一定値となるようにする。なお、ここでは、Ｉ／Ｖ変換回路から出力される各電圧信号を可変利得アンプへ入力する構成としたが、各受光素子から出力される各電流信号を可変利得アンプへ入力する構成としてもよい。
【００３６】
Ａ／Ｄ変換器８、９、１０、１１は、可変利得アンプ７から出力される各電圧信号をデジタル信号に変換する。信号振幅検出手段１２は各Ａ／Ｄ変換器８、９、１０、１１から出力される各デジタル信号を基に、可変利得アンプ７により所定倍された各電圧信号の振幅値を検出する。なお、ここでは、信号振幅検出手段にデジタル信号を入力する構成としたが、可変利得アンプ７から出力されるアナログ信号を入力する構成としてもよい。
【００３７】
メディア種別判定手段１３は、信号振幅検出手段１２により検出された各振幅値の平均値と予め設定された閾値とを比較する比較演算を行い、当該光ディスク装置に装着されている光ディスクのメディア種別がＣＤ系かＤＶＤ系かを判定する。一般に、ＤＶＤ系メディアの反射率はＣＤ系メディアの反射率よりも高いので、受光素子が出力する電流信号の振幅値がある値以上であるか否かによってＣＤ系かＤＶＤ系かを判定できる。
【００３８】
なお、ここでは各振幅値の平均値を閾値と比較したが、例えば、各振幅値の中の任意の一つと閾値とを比較したり、各振幅値それぞれと閾値とを比較するなどしてもよい。但し、閾値として、ＣＤ系メディアとＤＶＤ系メディアを判定できる値を予め求めておく。
【００３９】
信号振幅調整手段１４は、光ディスクのメディア種別判定時には、可変利得アンプ７のゲインを調整して、Ｉ／Ｖ変換器６から出力される各電圧信号の振幅が所定倍されるようにする。一方、データアクセス時には、信号振幅検出手段１２により検出された各振幅値及びメディア種別判定手段１３により判定された光ディスクのメディア種別を基に、ＣＤ系メディア間、およびＤＶＤ系メディア間においてＩ／Ｖ変換器６から出力される各電圧信号の振幅が一定となるように可変利得アンプ７のゲインを調整する。
【００４０】
ＦＥ信号生成回路１５、ＴＥ信号生成回路１６、全加算信号生成回路１７は、各Ａ／Ｄ変換回路８、９、１０、１１から出力される信号（４分割された受光素子からの信号）を基に所定の演算を実行してフォーカスエラー信号、トラッキングエラー信号、全加算信号（ＲＦ信号）を生成する。なお、ここでは、各Ａ／Ｄ変換回路８、９、１０、１１から出力されるデジタル信号を基に所定の演算を実行してフォーカスエラー信号、トラッキングエラー信号、全加算信号を生成したが、可変利得アンプ７から出力される各アナログ信号を基に所定の演算を実行してフォーカスエラー信号、トラッキングエラー信号、全加算信号を生成した後、フォーカスエラー信号、トラッキングエラー信号、全加算信号をＡ／Ｄ変換回路によりデジタル信号に変換するようにしてもよい。
【００４１】
続いて、当該光ディスク装置の動作について、図２に示すフローチャートを用いて説明する。
当該光ディスク装置は、光ディスク１が装着されると、光ディスク１を回転させ、光ピックアップ３内蔵の対物レンズ（図示せず）を光ディスク１に対し遠近方向（フォーカス方向）に移動し、レーザダイオード４から所定のレーザ光を照射して、光ディスク１のピット面（記録面）に光スポットを形成する。その反射光（戻り光）は受光素子５で受光され、電流信号に変換されてＩ／Ｖ変換回路６へ出力される。
【００４２】
Ｉ／Ｖ変換回路６は、４分割された受光素子５それぞれから出力される各電流信号を電圧信号に変換して可変利得アンプ７へ出力する。可変利得アンプ７は、入力された各電圧信号の振幅を所定倍してＡ／Ｄ変換器８、９、１０、１１へ出力する。
【００４３】
Ａ／Ｄ変換器８、９、１０、１１は、可変利得アンプ７から出力される各電圧信号をデジタル信号に変換して信号振幅検出手段１２へ出力する。信号振幅検出手段１２は各Ａ／Ｄ変換器８、９、１０、１１から出力される各デジタル信号を基に、可変利得アンプ７により所定倍された各電圧信号の振幅値を検出する。
【００４４】
ステップ２０１において、当該光ディスク装置のメディア種別判定手段１３は、信号振幅検出手段１２により検出された各振幅値の平均値を求めて、予め設定された閾値１と比較する。比較の結果、閾値１より大きければ、当該光ディスク装置に装着されている光ディスクのメディア種別はＤＶＤ系であると判定する。一方、閾値１以下の場合にはＣＤ系であると判定する。
【００４５】
ＣＤ系メディアと判定された場合、ステップ２０２において、ＣＤ系メディアに対応する信号処理回路とサーボ制御パラメータを設定する。一方、ＤＶＤ系メディアと判定された場合、ステップ２０３において、ＤＶＤ系メディアに対応する信号処理回路とサーボ制御パラメータを設定する。
【００４６】
そして、ステップＳ２０４において、信号振幅調整手段１４が、信号振幅検出手段１２により検出された各振幅値及びディスク種類判別手段１３により判定された光ディスクのメディア種別を基に、ＣＤ系メディア間、およびＤＶＤ系メディア間において各受光素子からの信号の振幅が一定となるように可変利得アンプ７のゲインを調整する（信号振幅の最適化）。
【００４７】
その後、データアクセス時には、信号振幅調整手段１４によりゲインが調整された可変利得アンプ７から出力される各受光素子５からの各信号を基にフォーカスエラー信号、トラッキングエラー信号、全加算信号を生成してサーボ制御を実行する。
【００４８】
以上のように、本実施の形態によれば、可変利得アンプのゲインを各メディアの反射率にあわせて調整して、ＣＤ系の各種光ディスク間、およびＤＶＤ系の各種光ディスク間においてサーボ制御に用いる信号の信号振幅を一定にするので、サーボ制御パラメータの再生利得をＣＤ系の各種光ディスク間、およびＤＶＤ系の各種光ディスク間で一定にでき、ＣＤ系かＤＶＤ系かの判定（光ディスクのメディア種別の判定）のみを行えばよくなり、従来のように光ディスクの種類を細かく判別せずにすむ。また、受光素子からの信号の振幅を所定倍した値を用いてＣＤ系かＤＶＤ系かの判定を行うので、安定した判定を行うことができる。したがって、従来のように誤ったサーボ制御パラメータを設定するおそれがなくなり、安定したデータアクセスを実現できる。
【産業上の利用可能性】
【００４９】
本発明にかかる光ディスク装置、および光ディスクに対するデータアクセス方法は、様々な種類の光ディスクに対してデータアクセスできる光ディスク装置において誤ったサーボ制御パラメータの設定を防止でき、光ディスクに対するデータアクセスの安定性向上に関して有用である。
【図面の簡単な説明】
【００５０】
【図１】本発明の実施の形態における光ディスク装置の一例を示すブロック図
【図２】同実施の形態の光ディスク装置におけるメディア種別判定時の動作フローを示す図
【図３】従来の光ディスク装置の一例を示すブロック図
【図４】従来の光ディスク装置におけるディスク種類判別時の動作フローを示す図
【符号の説明】
【００５１】
１、１０１      光ディスク
２、１０２      スピンドルモータ
３、１０３      光ピックアップ
４、１０４      レーザダイオード
５、１０５      受光素子
６、１０６      Ｉ／Ｖ変換回路
７      可変利得アンプ
８〜１１、１１０〜１１２      Ａ／Ｄ変換器
１２、１１３      信号振幅検出手段
１３      メディア種別判定手段
１４      信号振幅調整手段
１５、１０７      ＦＥ信号生成回路
１６、１０８      ＴＥ信号生成回路
１７、１０９      全加算信号生回路
１１４      ディスク種類判別手段
【図１】
2006172527.tif 000003
【図２】
2006172527.tif 000004
【図３】
2006172527.tif 000005
【図４】
2006172527.tif 000006